(57)【要約】  【課題】  ディスク記録装置において記録速度増大にも対応可能な技術を提供する。  【解決手段】  ウォブル信号から再生した主記録データのチャネルビットレートのクロックを分周し、該分周したクロックとその逆位相のクロックのうちから第１のクロックを選択し、該第１のクロックにつきさらに分周を行い、位相の異なる複数通りのクロックを生成し、該生成した複数通りのクロックのうちから、上記ウォブル信号のゼロクロス点に最も近接した立ち上りエッジを有する第２のクロックを選択し、該第２のクロックに基づき上記ウォブル信号をサンプリングし、上記第１のクロックに基づき復調演算及び誤り訂正演算を行う。【選択図】  図１
2005166077.tif 000002
【特許請求の範囲】
【請求項１】
ウォブル信号にアドレス情報を重畳してディスクに記録するディスク記録装置であって、
上記ウォブル信号から再生した主記録データのチャネルビットレートのクロックを分周する第１の分周手段と、
上記分周したクロックと該クロックの逆位相のクロックのうちから第１のクロックを選択する第１のクロック選択手段と、
上記選択した第１のクロックにつきさらに分周を行い、位相の異なる複数通りのクロックを生成する第２の分周手段と、
上記生成した複数通りのクロックのうちから、上記ウォブル信号のゼロクロス点に最も近接した立ち上りエッジを有する第２のクロックを選択する第２のクロック選択手段と、
上記ウォブル信号のゼロクロス点情報に基づき、少なくとも上記第１のクロック選択手段と上記第２のクロック選択手段を制御する制御手段と、
を備え、上記第２のクロックに基づき上記ウォブル信号をサンプリングするとともに、上記第１のクロックに基づき復調演算及び、上記アドレス情報に付加された誤り訂正符号に従う誤り訂正演算を行う構成としたことを特徴とするディスク記録装置。
【請求項２】
ウォブル信号にアドレス情報を重畳してディスクに記録するディスク記録装置であって、
上記ウォブル信号から再生した主記録データのチャネルビットレートのクロックを分周する第１の分周手段と、
上記分周したクロックと該クロックの逆位相のクロックのうちから第１のクロックを選択する第１のクロック選択手段と、
上記選択した第１のクロックにつきさらに分周を行い、位相の異なる複数通りのクロックを生成する第２の分周手段と、
上記生成した複数通りのクロックのうちから、上記アドレス情報に付加された誤り訂正符号に基づくエラーレートが最も低い第２のクロックを選択する第２のクロック選択手段と、
上記ウォブル信号の上記エラーレート情報に基づき、少なくとも上記第１のクロック選択手段と上記第２のクロック選択手段を制御する制御手段と、
を備え、上記第２のクロックに基づき上記ウォブル信号をサンプリングするとともに、上記第１のクロックに基づき復調演算及び誤り訂正演算を行う構成としたことを特徴とするディスク記録装置。
【請求項３】
上記第１の分周手段は分周比が１／２、上記第２の分周手段は分周比が１／８である請求項１または請求項２に記載のディスク記録装置。
【請求項４】
ウォブル信号にアドレス情報を重畳して記録するディスク記録装置のクロック生成方法であって、
上記ウォブル信号から主記録データのチャネルビットレートのクロックを再生し分周する第１のステップと、
上記分周したクロックの逆位相のクロックを生成する第２のステップと、
上記分周したクロックと上記逆位相のクロックのうちから第１のクロックを選択して出力する第３のステップと、
上記選択した第１のクロックにつきさらに分周を行い、位相の異なる複数通りのクロックを生成する第４のステップと、
上記生成した複数通りのクロックのうちから、上記ウォブル信号のゼロクロス点に最も近接した立ち上りエッジを有する第２のクロックを選択する第６のステップと、
を経て、ディスク記録装置のウォブル信号をサンプリングするための上記第２のクロックと、復調演算及び、上記アドレス情報に付加された誤り訂正符号に従う誤り訂正演算を行うための上記第１のクロックとを生成することを特徴とするディスク記録装置のクロック生成方法。
【請求項５】
ウォブル信号にアドレス情報を重畳して記録するディスク記録装置のクロック生成方法であって、
上記ウォブル信号から主記録データのチャネルビットレートのクロックを再生し分周する第１のステップと、
上記分周したクロックの逆位相のクロックを生成する第２のステップと、
上記分周したクロックと上記逆位相のクロックのうちから第１のクロックを選択する第３のステップと、
上記選択した第１のクロックにつきさらに分周を行い、位相の異なる複数通りのクロックを生成する第４のステップと、
上記生成した複数通りのクロックのうちから、上記アドレス情報に付加された誤り訂正符号に基づくエラーレートが最も低い第１のクロックと第２のクロックを選択する第６のステップと、
を経て、ディスク記録装置のウォブル信号をサンプリングするための上記第２のクロックと、復調演算及び誤り訂正演算を行うための上記第１のクロックとを生成することを特徴とするディスク記録装置のクロック生成方法。
【発明の詳細な説明】
【技術分野】
【０００１】
本発明は、ウォブル信号にアドレス情報を重畳してＤＶＤ＋Ｒ、ＤＶＤ＋ＲＷなどのディスクに記録するディスク記録装置に関する。
【背景技術】
【０００２】
従来、例えば、ＤＶＤ＋ＲやＤＶＤ＋ＲＷなどのディスクのウォブルによるアドレスは、正弦波から成るウォブルの位相を反転させたウォブルと通常のウォブルの位相変調によって信号が入れられ、ＡＤＩＰ（アドレスインプリグルーブ）のアドレス情報を形成している。ウォブル周期は３２チャネルビットであり、２６ＥＦＭ  ＳＹＮＣフレームに９３個のウォブルが対応する。該９３個のウォブルは、８個の位相変調部分であるＡＤＩＰ  Ｕｎｉｔと、８５個の単一ウォブルから構成される。単一部分のウォブルをＰＷ（Ｐｏｓｉｔｉｖｅ  Ｗｏｂｂｌｅ）、位相を１８０°ずらしたウォブルをＮＷ（Ｎｅｇａｔｉｖｅ  Ｗｏｂｂｌｅ）と定義すると、８個あるウォブルの最初の４つがＮＷ、残り４つがＰＷの場合はＡＤＩＰ  ｗｏｒｄのＡＤＩＰ  Ｓｙｎｃ  ｕｎｉｔとなる。また最初の４個が１＊ＮＷ＋３＊PWの場合はＡＤＩＰ  Ｄａｔａ  ｕｎｉｔを示し、残りの４つの向きで０か１かを決定する。このように記録する位置アドレスが記録されている。
上記従来技術については、例えば、「ＤＶＤ＋ＲＷ／＋Ｒ  トリケップス社  Ｐ３６−Ｐ３９」に関連する記載がある。
【０００３】
【非特許文献１】ＤＶＤ＋ＲＷ／＋Ｒ  トリケップス社  Ｐ３６−Ｐ３９
【発明の開示】
【発明が解決しようとする課題】
【０００４】
上記位相変調された信号を復調するためには、正弦波の頂点の振幅を正確に取り込む必要がある。そのためには、例えばチャネルビットの位相精度で、１８０°毎にＡＤ変換して取り込んだデータに対してチャネルビットクロックで復調演算を行えばよいが、４倍速、８倍速と記録速度が増大した場合には、上記従来技術では該チャネルビットクロックによる復調演算が困難であった。
本発明の課題点は、上記従来技術の状況に鑑み、ディスク記録装置において、記録速度が増大した場合にも、正確な復調演算や誤り訂正演算を容易に行えるクロックが得られるようにすることである。
本発明の目的は、上記課題点を解決し、ディスク記録装置において記録速度増大にも対応可能な技術を提供することにある。
【課題を解決するための手段】
【０００５】
上記課題点を解決するために、本発明では、ウォブル信号から再生した主記録データのチャネルビットレートのクロックを分周し、該分周したクロックとその逆位相のクロックのうちから第１のクロックを選択し、該第１のクロックにつきさらに分周を行い、位相の異なる複数通りのクロックを生成し、該生成した複数通りのクロックのうちから、上記ウォブル信号のゼロクロス点に最も近接した立ち上りエッジを有する第２のクロックを選択し、該第２のクロックに基づき上記ウォブル信号をサンプリングするとともに、上記第１のクロックに基づき復調演算及び誤り訂正演算を行う構成とする。また、ウォブル信号から再生した主記録データのチャネルビットレートのクロックを分周し、該分周したクロックとその逆位相のクロックのうちから第１のクロックを選択し、該選択した第１のクロックにつきさらに分周を行い、位相の異なる複数通りのクロックを生成し、該生成した複数通りのクロックのうちから、アドレス情報に付加された誤り訂正符号に基づくエラーレートが最も低い第２のクロックを選択し、該第２のクロックに基づき上記ウォブル信号をサンプリングするとともに、上記第１のクロックに基づき復調演算及び誤り訂正演算を行う構成とする。
【発明の効果】
【０００６】
本発明によれば、ディスク記録装置において、記録速度が増大した場合にも、正確な復調演算や誤り訂正演算を容易に行うことができる。消費電力の削減も可能となる。
【発明を実施するための最良の形態】
【０００７】
以下、本発明を実施するための最良の形態につき、図面を用いて説明する。
図１は、本発明の第１の実施形態の説明図であって、ディスク記録装置のアドレス検出部を示す。本第１の実施形態としてのディスク記録装置は、ディスク上のアドレス情報を表すために予めウォブリングされたトラックに記録されているＡＤＩＰ等の情報を再生し、これに従ってディスクにデータを記録する構成のものとする。
【０００８】
図１において、１０１は光ディスク、１０２は、光ディスク１０１に対しレーザ光を照射するとともに反射光を検出する光ピックアップ、１０３は、光ディスク１０１を回転駆動するスピンドルモータ、１０４はバンドパスフィルタ、１０５は、光ピックアップ１０２で再生したアナログ信号をデジタル信号に変換するＡＤ変換器、１０６は復調演算処理を行う復調回路、１０７は誤り訂正演算処理を行う誤り訂正回路、１０８はＰＬＬ回路、１０９は、第１の分周手段としての分周器、１１０は位相反転回路、１１１は、デジタル化されたウォブル信号のゼロクロス点を検出するためのゼロクロス検出回路、１１２は、第２の分周手段としての１／８分周器、１１３は、第１のクロック選択手段としてのセレクタ回路、１１４は、第２のクロック選択手段としてのクロック選択回路、１２０は、制御手段としてのマイコンである。
【０００９】
光ディスク１０１は、ランドトラックに囲まれたグルーブトラックにデータが書き込まれ、該トラックは３２チャネルビット周期でウォブリングされている。９３ウォブル周期のうち前側の８ウォブルは位相変調がかけられており、アドレス情報が重畳されている。バンドパスフィルタ１０４は、光ピックアップ１０２からの信号からウォブル成分を抽出する。ＰＬＬ回路１０８は、バンドパスフィルタ１０４から出力されるウォブル信号から主記録データのチャネルビットレートのクロックを再生する。第１の分周手段としての分周器１０９は、上記再生したクロックを例えば分周比１／２で分周する。位相反転回路１１０は、上記分周したクロックの位相を反転させ逆位相にする。第１のクロック選択手段としてのセレクタ回路１１３は、上記分周したクロックと上記逆位相のクロックのうちからいずれか、すなわち、ウォブル信号のゼロクロス点に近接した立ち上りエッジを有するものの方を第１のクロックとして選択し出力する。
【００１０】
第２の分周手段としての１／８分周器１１２は、上記選択したクロック（第１のクロック）を、ウォブル１周期あたり２回のＡＤ変換ができるように、例えば分周比１／８で分周し、８通り（８種類）の位相の８倍周期のクロックを生成して順次出力する。すなわち、該１／８分周器１１２からは、分周器１０９から出力されるクロックが分周された８通り（８種類）の位相の８倍周期のクロックと、位相反転回路１１０から出力される逆位相のクロックが分周された８通り（８種類）の位相の８倍周期のクロックとのいずれか生成される。ＡＤ変換器１０５では、１／８分周器１１２から出力される第２のクロックでウォブル信号のＡＤ変換を行う。
【００１１】
第２のクロック選択手段としてのクロック選択回路１１４は、上記１／８分周器１１２で生成された上記８通り（８種類）の位相のクロックのうちから、ゼロクロス検出回路１１１が検出したウォブル信号のゼロクロス点に最も近接した立ち上りエッジのものを第２のクロックとして選択し、該１／８分周器１１２から出力させる。ゼロクロス検出回路１１１は、ＡＤ変換器１０５の出力が最も小さい位相を上記全８通りのクロック位相の中から検出する。ウォブル成分のサンプリングは、上記クロック選択回路１１４が選択した上記第２のクロックの位相から９０°ずれた位相で行う。復調回路１０６では復調演算処理を、上記セレクタ回路１１３から出力される上記第１のクロックに基づき行う。また、誤り訂正回路１０７でも、復調回路１０６で復調されたアドレス情報を含むデータに付加された誤り訂正符号に従う誤り訂正演算処理を、上記セレクタ回路１１３から出力される上記第１のクロックに基づき行う。光ディスク記録装置では、このようにして、記録位置に関するアドレス情報を検出し、得られたアドレス情報に従って記録位置を制御する。マイコン１２０は、ゼロクロス検出回路１１１からの出力情報に基づきクロック選択回路１１４を制御して、ウォブル信号のゼロクロス点に最も近接した立ち上りエッジのものを選択させる。
【００１２】
上記本発明の第１の実施形態によれば、分周器１０９により分周比１／２で分周したクロックで復調処理、誤り訂正処理を行うことができる。また、反転位相のクロックと非反転位相のクロックからＡＤ変換タイミングを選択するため、ウォブルを分周しないクロックでサンプリングした場合と同じ精度でサンプリングを行うことができる。このため、復調処理を高精度に行うことができる。
【００１３】
図２は、本発明の第２の実施形態の説明図であって、光ディスク記録装置のアドレス検出部を示す。本第２の実施形態は、分周により生成した複数通りのクロックの中から、最もエラーレートが低くなるものを選択する場合の例である。本第２の実施形態では、図１に示した第１の実施形態の構成中のゼロクロス検出回路１１１に替えて、エラーレート判定回路を設ける。
【００１４】
図２において、２０１は、誤り訂正回路１０７における誤り訂正演算処理に基づきエラーレートを判定するエラーレート判定回路である。他の構成要素は上記第１の実施形態の場合と同様であり、それぞれに図１の場合と同じ符号を付す。かかる構成において、上記第１の実施形態の場合と同様、第１の分周手段としての分周器１０９は、ウォブル信号から再生した主記録データのチャネルビットレートのクロックを、例えば分周比１／２で分周する。位相反転回路１１０は、上記分周したクロックの位相を反転させ逆位相にする。第１のクロック選択手段としてのセレクタ回路１１３は、上記１／２分周比で分周したクロックとその逆位相のクロックのうち、アドレス情報に付加された誤り訂正符号に基づくエラーレートが低いものの方を選択し第１のクロックとして出力する。また、第２の分周手段としての１／８分周器１１２は、上記第１の実施形態の場合と同様、上記選択した第１のクロックにつき、例えば分周比１／８で分周を行い、８通り（８種類）の位相の８倍周期のクロックを生成する。該１／８分周器１１２では、上記１／２分周比で分周したクロックにつき分周した８通り（８種類）の位相の８倍周期のクロックと上記逆位相のクロックにつき分周した８通り（８種類）の位相の８倍周期のクロックとのいずれかが生成される。ＡＤ変換器１０５では、１／８分周器１１２で生成されたクロックの中から選択されて出力される第２のクロックでウォブル信号のＡＤ変換を行う。
【００１５】
第２のクロック選択手段としてのクロック選択回路１１４は、上記１／８分周器１１２で生成された上記８通り（８種類）の位相のクロックのうちからエラーレート判定回路２０１が、最もエラーレートが低くなると判定したものを上記第２のクロックとして選択する。エラーレート判定回路２０１は、誤り訂正回路１０７における誤り訂正演算処理に基づきエラーレートを検出し最もエラーレートが低くなるものを判定する。上記クロック選択回路１１４で選択した第２のクロック（マスタクロック）の位相から９０°ずれた位相でウォブル成分のサンプリングを行う。また、復調回路１０６での復調演算処理は、上記セレクタ回路１１３から出力される上記第１のクロックに基づき行う。また、誤り訂正回路１０７でも、復調回路１０６で復調されたアドレス情報を含むデータに付加された誤り訂正符号に従う誤り訂正演算処理を、上記セレクタ回路１１３から出力される上記第１のクロックに基づき行う。制御手段としてのマイコン１２０は、エラーレート判定回路２０１からの出力情報に基づきクロック選択回路１１４を制御して、誤り訂正処理において最もエラーレートが低くなるものを選択させる。
【００１６】
上記本発明の第２の実施形態によれば、データの信頼度指標であるエラーレートを用いて、最適の位相をチャネルクロックレートの精度で選択し、ＡＤ変換を行うことができる。このため、ＡＤ変換の位相精度はチャネルクロックの精度でありながら、復調処理や誤り訂正処理を、チャネルクロックレートの１／２の周波数のクロックで行うことができ、特に、位相変調された信号の復調処理を高精度に行うことができる。消費電力の削減も可能となる。また、回路製造上もコスト増大を抑えることが可能となる。
【図面の簡単な説明】
【００１７】
【図１】本発明の第１の実施形態を示す図である。
【図２】本発明の第２の実施形態を示す図である。
【符号の説明】
【００１８】
１０１…光ディスク、
１０２…光ピックアップ、
１０３…スピンドルモータ、
１０４…バンドパスフィルタ、
１０５…ＡＤ変換器、
１０６…復調回路、
１０７…誤り訂正回路、
１０８…ＰＬＬ回路、
１０９…分周器、
１１０…位相反転回路、
１１１…ゼロクロス検出回路、
１１２…１／８分周器、
１１３…セレクタ回路、
１１４…クロック選択回路、
１２０…マイコン、
２０１…エラーレート判定回路。
【図１】
2005166077.tif 000003
【図２】
2005166077.tif 000004